(57)【要約】【課題】化粧品の装填とまつげの分離の点で改善された櫛歯の形状を求める。【解決手段】長手方向軸線ＸＸに沿って延びる細長形の中心軸芯（１）と、軸芯に植え込まれた第一の端（２０）と第二の自由端（２１）とを有する少なくとも１列の細長の櫛歯（２）とを備えてなる、ケラチン繊維に流体状または粘性体状の製品を塗布するための塗布用具に関する。櫛歯（２）の少なくとも１つは、基準面として知られる長手方向面と一致する第一の平らな面（２００）および第一の平らな面（２００）と１０°〜１８０°の角度をなす第二の平らな面（２１０）で端部が画されており、少なくとも１つの櫛歯（２）は、軸芯（１）に植え込まれていて、円の一部分の形状の実質的に一定の断面を有する第一の領域（２２）および第一の領域（２２）の実質的に長手方向の続きに位置する変化する断面を有する第二の領域（２３）を備えている。【選択図】図１４
2018518269.tif 000002
【特許請求の範囲】
【請求項１】
長手方向軸線ＸＸに沿って延びる細長形の中央軸芯（１）と、前記軸芯に植え込まれた第一の端（２０）と第二の自由端（２１）とを有する少なくとも１列の細長の櫛歯（２）とを備えてなり、前記櫛歯（２）と前記軸芯（１）が単一片に形成されている、ケラチン繊維に流体状または粘性体状の製品を塗布するための塗布用具であって、
前記櫛歯の少なくとも１つは、この塗布用具の長手方向面（以下、「基準面」）と一致する第一の平らな面（２００）および前記第一の平らな面（２００）と１０°〜１８０°の角度をなす第二の平らな面（２１０）で端部が画されており、
前記少なくとも１つの櫛歯（２）は、円の一部分の形状の実質的に一定の断面を有し前記軸芯（１）に植え込まれた第一の領域（２２）および前記第一の領域（２２）と実質的に長手方向に一直線に並んで位置する断面の変化する第二の領域（２３）を備えており、
前記軸線ＸＸに沿って順次植え込まれた２つの櫛歯の形状および／または配置は、二者の間に少なくとも１つの遠位開口（２３０、２３６）を作り出すことができる
ことを特徴とする塗布用具。
【請求項２】
請求項１に記載の塗布用具において、
前記軸線ＸＸに沿って順次植え込まれた２つの櫛歯の形状および／または配置は、二者の間に第二の開口（２３５）を作り出すことができる
ことを特徴とする塗布用具。
【請求項３】
請求項１または２に記載の塗布用具において、
前記遠位開口と前記第二の開口は、別個であるかまたは繋がっている
ことを特徴とする塗布用具。
【請求項４】
請求項１〜３のいずれかに記載の塗布用具において、
前記遠位開口（２３６）は、前記櫛歯（２）の自由端に向かって開口し、概して音叉の形状を呈している
ことを特徴とする塗布用具。
【請求項５】
請求項１〜４のいずれかに記載の塗布用具において、
前記１列をなす櫛歯（２）の少なくとも２つは、同一の方向を向いている
ことを特徴とする塗布用具。
【請求項６】
請求項１〜５のいずれかに記載の塗布用具において、
前記１列をなす櫛歯（２）の少なくとも２つは、異なる方向を向いている
ことを特徴とする塗布用具。
【請求項７】
請求項１〜６のいずれかに記載の塗布用具において、
前記軸線ＸＸに沿って測った順次２つの櫛歯（２）の間の距離は、およそ２ｍｍより少ない範囲で負、零または正である
ことを特徴とする塗布用具。
【請求項８】
請求項１〜７のいずれかに記載の塗布用具において、
前記第一の面（２００）および第二の面（２１０）は、両者の間におよそ１８０°の角度を形成しており、前記第二の領域（２３）は、前記第一の領域（２２）と一直線上で隣接する少なくとも１つの第一の部分（２３１）および前記基準面Ｐに沿って前記第一の部分と重なり合うように隣接する第二の部分（２３２）を備えてなる
ことを特徴とする塗布用具。
【請求項９】
請求項８に記載の塗布用具において、
前記第一の部分（２３１）は、第一の膨出部を備えてなり、前記第二の部分（２３２）は、前記第一の膨出部とは異なる方向を向いた第二の膨出部を備えてなる
ことを特徴とする塗布用具。
【請求項１０】
請求項８に記載の塗布用具において、
前記第二の領域（２３）の前記第二の部分（２３２）は、前記基準面Ｐの前記第一の部分と反対側で前記基準面と実質的に平行に延びるＵ字形をしている
ことを特徴とする塗布用具。
【請求項１１】
請求項１〜１０のいずれかに記載の塗布用具において、
前記櫛歯の前記第二の領域は、凹曲面と凸曲面が順次並んで延びている
ことを特徴とする塗布用具。
【請求項１２】
請求項１〜１１のいずれかに記載の塗布用具において、
前記少なくとも１つの櫛歯（２）は、膨出部および／または凸状部から出た少なくとも１つの突起（２４）を備えてなる
ことを特徴とする塗布用具。
【発明の詳細な説明】
【技術分野】
【０００１】
この発明は、マスカラタイプの、流体状または粘性体状の化粧品のための塗布具の分野に関する。この発明は、より具体的には、化粧品を塗布するための器具または手段に関する。
【背景技術】
【０００２】
先行技術には、非常に多くのマスカラ塗布具が知られている。塗布器具自体は、例えば、中央軸芯（コア）とそこから延び出ている一組の毛条片(poils)または櫛歯(picots)を備えた細長形のブラシである。毛条片は、旧い技術であり、撚り合わせた金属線が横方向に延び出た毛条片（複数）を保持している。塗布器具の一例が米国特許ＵＳ５，６１１，３６１号に詳解されている。
【０００３】
より最近では、塗布器具は、ブラシの長手方向軸芯（コア）に植え込まれた一連の櫛歯（棘状片）を備えてなるブラシの形をしている。その全体は、プラスチック材料でモールド成形されている。塗布器具は、それを中に入れることができる適当な容器を有して、化粧品用のディスペンサ（小出し使用容器）を形成している。出願ＦＲ２，８１０，８６０号およびＷＯ２０１１／０４５７７０号が、この技術思想から出る塗布具の数例を示している。
【０００４】
従来技術の塗布器具、すなわち、ブラシの欠点は、ケラチン繊維を延ばし、厚くし、および／または分離するために、櫛歯が容器から櫛歯へ化粧品を正しく移し替えて化粧品をケラチン繊維に適切に塗布することができないということである。
【０００５】
ブラシへのマスカラの装填（移し替えて載せること）を改善するために従来技術により考えられる１つの解決策は、マスカラを集めるための平らな面を有するとともに平らでない面がまつげの分離に関与する櫛歯を使用することである。文献ＥＰ１，８７２，６８２号がそのようなブラシを記載している。その櫛歯は、ブラシの長手方向軸線に平行な複数の列に配置されており、１つの列の全ての櫛歯は、それらの平らな面を同じ側に有している。それらの平らな面は、一列に整列されており、他方、平らでない面は、その線の同じ側に位置している。したがって、ブラシの使用者は、ブラシを回しながら、ブラシの長手方向軸線に直角な方向にブラシを動かす。
【０００６】
このタイプのブラシは、平らな面がまつげの分離に関与せず、平らでない面がマスカラの装填に関与しないので、最大の効能を有していない。したがって、このタイプのブラシでは、使用者は、マスカラの十分な装填が回復するのを確実にするために、ブラシの動きを逆向きにしながらまつげの上を数回通過させなければならない。
【０００７】
いくぶん別のやり方であるが、特許出願ＥＰ１，６１１，８１７号は、長手方向の支持体と、支持体とともに一体成形され、支持体の同じ側に植え込まれ、支持体の長さの１／４を超えて延びる第一および第二の列の櫛歯とを備えてなるマスカラ塗布器具を記載している。歯（または櫛歯）は、２つの平行でない方向および表面に形成されたいわゆる分離幾何学的表面の両側に延びている。櫛歯は、支持体の平らな面から直立しており、分離表面の両側に互い違いに形成されている。したがって、マスカラを塗布するときは、ブラシを行ったり来たり動かしても装填の最適な分布やまつげの適度な分離ができない。
【０００８】
特許出願ＦＲ２，９３０，８７５号も知られており、平らな面を有し軸芯から放射状に突き出た複数列の櫛歯を支持する長手方向の軸芯を備えてなる、化粧品を塗布するための器具を記載している。櫛歯は、軸芯の長手方向軸線に平行な少なくとも一列に配置されていて、いずれの列においても、その列の中心線（または、中心平面）の両側に交互に置かれて各平らな面がその列の内側に向けられている。その発明の１つの特徴によると、同じ列の櫛歯の平らな面は、軸芯に対して垂直に延び、整列されており、軸芯の周りの２つの螺旋方向に向けられている。
【０００９】
この解決策は、従来技術に比較して一定の改良をもたらすけれども、装填に都合のよい規格ユニットは得られていない。そのうえ、まつげの分離には改良の余地がある。
【００１０】
したがって、とりわけ各櫛歯の形状に関しては、開発が必要である。各櫛歯は、単独でまたは他の櫛歯と組合せで化粧品の装填およびまつげまたはケラチン繊維の分離の改善に役立つものでなければならい。
【先行技術文献】
【特許文献】
【００１１】
【特許文献１】ＵＳ５，６１１，３６１Ｂ
【特許文献２】ＦＲ２，８１０，８６０Ａ
【特許文献３】ＷＯ２０１１／０４５７７０Ａ
【特許文献４】ＥＰ１，８７２，６８２Ａ
【特許文献５】ＥＰ１，６１１，８１７Ａ
【特許文献６】ＦＲ２，９３０，８７５Ａ
【発明の概要】
【発明が解決しようとする課題】
【００１２】
この発明は、とりわけ化粧品の装填およびまつげの分離に関して従来技術の欠点を取り除くことを目的とする。
【課題を解決するための手段】
【００１３】
このために、この発明により提案される流体または粘性体タイプの製品をケラチン繊維に塗布するための器具は、長手方向軸線ＸＸに沿って延びる細長形の中央軸芯と、軸芯に植え込まれた第一の端と第二の自由端とを有する少なくとも１列の細長の櫛歯とを備えてなり、櫛歯と軸芯は単一片に形成されている。この発明の第一の特徴点によると、櫛歯の少なくとも１つは、基準面と称されるこの塗布器具の長手方向面と一致する第一の平らな面および当該第一の平らな面と１０°〜１８０°の角度をなす第二の平らな面で端部が画されている。さらに、前記少なくとも１つの櫛歯は、円の一部分の形状の実質的に一定の断面を有し軸芯に植え込まれた第一の領域および前記第一の領域と実質的に長手方向に一直線に並んで位置し断面の変化する第二の領域を備えている。
【００１４】
櫛歯の形状と個々および／または相互の配置の厳格な技術的定義を構成するこれらの特徴は、上述した機能を改善する。
【００１５】
有利なことに、軸線ＸＸに沿って順次植え込まれた２つの櫛歯の形状および／または配置は、二者の間に少なくとも１つの遠位開口を作り出すことができる。前記遠位開口は、櫛歯の自由端に向かって開口し、概して音叉の形状であってもよい。
【００１６】
この発明の範囲から逸脱することなく、軸線ＸＸに沿って順次植え込まれた２つの櫛歯の形状および／または配置は、二者の間に第二の開口を形成することが可能である。考えられる選択肢によると、遠位開口と第二の開口は、別個であってもよいし、繋がっていてもよい。
【００１７】
さらに、この発明の一実施形態によると、１つの列を構成する少なくとも２つの櫛歯は、同一の方向に向いている。
【００１８】
この発明の他の実施形態によると、１つの列を構成する少なくとも２つの櫛歯は、異なった方向に向いている。
【００１９】
さらに、軸線ＸＸに沿って測った順次並んだ２つの櫛歯の間の距離は、およそ２ｍｍ未満で、負の値でもよく、零でもよく、正の値でもよい。この距離は、考えられる特定の場合に容易に適応させることができる。
【００２０】
この発明の特定の実施形態によると、記第一および第二の面は、両者の間におよそ１８０°の角度を形成しており、第二の領域は、第一の領域と一直線上で隣接する少なくとも１つの第一の部分および前記基準面Ｐに沿って第一の部分と重なり合うように隣接する第二の部分を備えている。
【００２１】
より厳密にいうと、前記第一の部分は、第一の膨出部を備えており、第二の部分は、前記第一の膨出部とは異なる方向を向いた第二の膨出部を備えている。
【００２２】
この発明の他の代案によると、第二の領域の前記第二の部分は、前記基準面Ｐの第一の部分と反対側で前記基準面と実質的に平行に延びるＵ字形をしている。
【００２３】
さらに、櫛歯の第二の領域は、順次凹曲面と凸曲面が並んで延びていてもよい。
【００２４】
発明の範囲から離れるが、少なくとも１つの櫛歯は、膨出部および／または凸状部から出た少なくとも１つの突起を備えている。
【００２５】
この発明の他の特徴および利点は、添付の図面を参照しながら以下の説明を読むことにより、分かるであろう。
【発明の効果】
【００２６】
この発明による塗布具は、流体状または粘性体状の化粧品を化粧品容器から塗布具へ正しく移し替えることができるとともに、化粧品をケラチン繊維に適切に塗布することができる。
【図面の簡単な説明】
【００２７】
【図１】この発明の第一の実施形態による塗布用具の斜視図である。
【図１Ａ】前記塗布具の側面図である。
【図１Ｂ】前記塗布具の平面図である。
【図２Ａ】この発明の第二の実施形態による塗布具の側面図である。
【図２Ｂ】この発明の第二の実施形態の平面図である。
【図３Ａ】この発明の第三の実施形態によろ塗布具の側面図である。
【図３Ｂ】この発明の第三の実施形態の平面図である。
【図４Ａ】この発明の変形例による櫛歯を示す斜視図である。
【図４Ｂ】この発明の変形例による櫛歯を示す側面図である。
【図４Ｃ】この発明の変形例による櫛歯を示す平面図である。
【図５Ａ】この発明の他の変形例による櫛歯を示す斜視図である。
【図５Ｂ】この発明の他の変形例による櫛歯を示す側面図である。
【図５Ｃ】この発明の他の変形例による櫛歯を示す平面図である。
【図６Ａ】この発明の変形例による２本の櫛歯の配置を示す斜視図である。
【図６Ｂ】この発明の変形例による２本の櫛歯の配置を示す側面図である。
【図６Ｃ】この発明の変形例による２本の櫛歯の配置を示す平面図である。
【図７Ａ】この発明の変形例による２本の櫛歯の配置を示す斜視図である。
【図７Ｂ】この発明の変形例による２本の櫛歯の配置を示す側面図である。
【図７Ｃ】この発明の変形例による２本の櫛歯の配置を示す平面図である。
【図８Ａ】この発明の変形例による２本の櫛歯の配置を示す斜視図である。
【図８Ｂ】この発明の変形例による２本の櫛歯の配置を示す側面図である。
【図８Ｃ】この発明の変形例による２本の櫛歯の配置を示す平面図である。
【図９Ａ】図５Ａ、５Ｂ、５Ｃの櫛歯の変形例に関する。
【図９Ｂ】図５Ａ、５Ｂ、５Ｃの櫛歯の変形例に関する。
【図９Ｃ】図５Ａ、５Ｂ、５Ｃの櫛歯の変形例に関する。
【図１０Ａ】この発明による櫛歯の変形例を示す。
【図１０Ｂ】この発明による櫛歯の変形例を示す。
【図１１】列に配置した櫛歯を横から見て示す。
【図１１Ａ】図１１の配置を上から見て図解する。
【図１１Ｂ】図１１Ａの詳細である。
【図１２】列に配置した他の形状の櫛歯を横から見て示す。
【図１２Ａ】図１２の配置を上から見て図解する。
【図１２Ｂ】図１１Ａの詳細である。
【図１３Ａ】順次２本の櫛歯の間の長さ方向間隔の違いを図解する。
【図１３Ｂ】順次２本の櫛歯の間の長さ方向間隔の違いを図解する。
【図１３Ｃ】順次２本の櫛歯の間の長さ方向間隔の違いを図解する。
【図１４】この発明の一実施形態による塗布用具の斜視図である。
【図１５】この発明の他の実施形態による塗布用具の側面図である。
【図１５Ａ】図１５による塗布用具の正面図である。
【図１５Ｂ】図１５、１５Ａによる塗布具を構成する櫛歯の詳細図である。
【図１６】この発明による櫛歯の他の実施形態の斜視図である。
【図１６Ａ】図１６の櫛歯の側面図である。
【図１６Ｂ】図１６による櫛歯の平面図である。
【図１７】櫛歯の更に他の実施形態の斜視図である。
【図１７Ａ】図１７の櫛歯の側面図である。
【図１７Ｂ】図１７による櫛歯の平面図である。
【発明を実施するための形態】
【００２８】
より明確のために、同一のまたは類似の素子は、全部の図面において同一の参照符号を付した。
【００２９】
この明細書の残りの部分において、「塗布具」または「塗布用具」または「塗布器具」は、同じ技術的手段を定義すべく使用される。
【００３０】
図１は、この発明の原理を示し、したがって、この発明は、まつげのようなケラチン繊維に流体状または粘性体状の製品を塗布するための用具に関する。公知の様式において、この用具は、長手方向軸線ＸＸに沿って延びる細長の軸芯（コア）１を備えてなり、当該軸芯の断面は、一定であってもなくてもよい。少なくとも１列の櫛歯または突起２は、概して細長い形で、軸芯１に植え込まれた第一の端２０と第二の端（自由端）２１とを有し、櫛歯２と軸芯１は、とりわけプラスチック成形で一体に形成されると有利である。塗布器具は、概して細長い形で、その外容（嵩）は、円筒形、円錐台形、ピーナッツ形、その他の種々の形を取ることができ、当業者は、細かい点に応じて選択する。図１Ａおよび図１Ｂは、実質的に円柱形の外容を示し、図２Ａは、ピーナッツ形の外形を示し、図３Ａは、波打った形を示している。
【００３１】
この発明によると、図４Ａ〜図１３Ｃにも図解されているように、少なくとも１つの櫛歯は、軸芯１に関して放射方向（半径方向）に延びるいわゆる長手方向面または基準面Ｐと一致するまたは実質的に一致する第一の平らな面２００によって端部が画されている。図１は、当該面Ｐを明確に示し、この図は、面Ｐと一致する面を有する１列の櫛歯を図解している。
【００３２】
櫛歯２（または、それらのうちの少なくとも１つ）は、また、第一の平らな面とおおよそ１０°〜１８０°の間の角度を形成する第二の平らな面２１０によっても定義され、かつ、端部が画されている。以下の様々な図が、当業者によって選択され、決定され、計算される種々の考え得る角度を示す。
【００３３】
さらに、少なくとも１つの櫛歯２は、軸芯１に植え込まれた第一の領域２２を備えており、この領域は、ほぞ２１に当たり、好ましくは円の一部分の形状で実質的に一定の断面を有し、それは、軸芯１に対する各櫛歯の「根元」または固着部である。第一の領域２２と長手方向に一直線に並んで第二の領域２３が考慮されており、それは、様々な形状であることができ、網羅的ではないが、添付図面に個々に図解されている。
【００３４】
図４Ａ、４Ｂ、４Ｃによると、問題の櫛歯の第一の面２００および第二の面２１０は、図４に明確に示されているように両者の間に直角を形成している。第二の領域２３は、ここでは第一の領域２２と一直線に並んだ第一の膨らんだ部分（または第一の膨らみ）２３１および第一の膨らみ２３１と一直線に第二の膨らんだ部分（または第二の膨らみ）２３２を有している。
【００３５】
図５Ａおよび図５Ｂは、第二の膨らんだ部分２３２が櫛歯の遠位部分２１に凹部２３２を有する点で図４のものとは異なる実施形態に関する。図５Ｂは、櫛歯の２つの面２００と２１０の間の角度においても異なり、この角度は、ここではおおよそ４５°である。したがって、この櫛歯は、図４に図解されたものと比べて、他の点では同じであるが、よりほっそりとして、よりしなやかである。
【００３６】
図６Ａ、図６Ｂ、図６Ｃは、隣り合う２つの櫛歯の相互配置を、各固有の形とともに、図解している。図５Ａ、図５Ｂ、図５Ｃの櫛歯とは異なり、各櫛歯の形状は、互いに実質的に一直線にある２つの凹部２３３、２３４を備えてなる。これらの凹部は、順次２つの櫛歯を互いに適切に配置しつつ、互いに一直線にある２つの開口２３５、２３６を形成することができる。
【００３７】
面２００と面２１０は、ここでは互いから９０°の方に向いているが、発明の範囲から逸脱することなく、この向きは、別の方向であることができる。２つの櫛歯２は、１８０°異なる方向を向いている。
【００３８】
図７Ａ、図７Ｂ、図７Ｃは、図６Ａ、図６Ｂ、図６Ｃの場合と同様の、しかし実質的に一定の断面の第二の領域２３の形状を示している。この形状は、適当に配置を選択することにより、２つの長手方向に隣り合う櫛歯の間に遠位端２１で閉じている大きな細長の開口２３０を形成することを可能とする。
【００３９】
図７Ａ、図７Ｂ、図７Ｃの実施形態の変形例が図８Ａ、図８Ｂおよび図８Ｃに示されている。違いは、開口２３０にあり、それは、遠位端２１で閉じていない。一種の音叉がここでは第二の領域２３を構成しており、それは柔軟であることから利点が得られ、製品溜めとして役立つことおよびケラチン繊維を保持し案内するのにも役立つことにおいて有利である。
【００４０】
図９Ａ、図９Ｂ、図９Ｃは、上記に挙げたタイプの櫛歯２に関し、膨らみおよび／または突出部２３２から出ている耳または突出部２４がそれに付加されている。ここでもまた、この幾何学的構造がケラチン繊維の案内を改善するのに有利である。そのうえ、ここでは、開口２３６を２つの隣接する櫛歯の遠位端に形成することが有利に追求されている。
【００４１】
図１０Ａ、図１０Ｂは、第一の面２００と第二の面２１０が間に９０°の角度をなす２つの櫛歯を接触して並置することによるか、第一の面と第二の面が１８０°の角度をなす単一の櫛歯とすることによるかの、２とおりのやり方で作ることができる櫛歯２を図解している。いずれの選択肢においても、２つの膨らみ２３１、２３２が第二の領域２３の所に設けられて、これらの２つの膨らみは、平らな領域２００または２１０から出ている。
【００４２】
図１１、図１１Ａ、図１１Ｂは、櫛歯２が、間におおよそ４５°の角度をなす第一の平らな面２００と第二の平らな面２１０により端部が画されているこの発明の実施形態を示す。櫛歯の第二の領域２３は、凹湾曲と凸湾曲の順次連続で形成されている。２つの隣り合う櫛歯の配置は、塗布器具の長手方向軸線ＸＸに沿って距離Ｅを測るとおおよそ０．０１ｍｍになるようになっている。第一の面２００が基準面Ｐに属している一方、第二の平らな面２１０が基準長手方向面Ｐの両側に交互に位置しているので、２つの隣り合う櫛歯の向きは、同じではない。この配置は、実質的に別個の開口２３５、２３６を空間的に形成することを可能にする。
【００４３】
図１２、図１２Ａ、図１２Ｂは、２つの櫛歯の間の植え込みの長手方向距離Ｅの点で図１１、図１１Ａ、図１１Ｂのものと異なる実施形態を提示する。この距離は、おおよそ１０倍大きくて、開口２３５、２３６が閉じていない。当業者は、最も適切なバージョンを選択する。
【００４４】
図１３Ａ、図１３Ｂ、図１３Ｃは、２つの長手方向に隣り合う櫛歯２の間の３とおりの可能な分離を示す。図１３Ａによると、２つの隣り合う櫛歯が第一の平らな面２００同士で最大に重なり合っており、図１３Ｂによると、重なり合っている面は、第一の平らな面２００のおおよそ半分であり、図１３Ｃによると、ほんの少ない部分しか触れ合っていない。
【００４５】
図１４は、斜視図により、この発明の好ましい実施形態を図解する。この実施形態の有利な面は、櫛歯の複数の列において、２つの順次並んだ櫛歯２により形成される遠位の開口２３６に関する。これらの開口２３６は、流体状または粘性体状製品のための溜まり場所として役立つ。このような溜まり場所は、塗布器具により占められる外容（嵩）の周縁に配置されているので、簡単に製品で満たされる。そのうえ、これらの開口は、櫛歯の２つの自由端により形成されているので、それらは、特に柔軟であり、塗布用具がワイパー（しごき部材：容器の首の所にある小さな円盤）を繰り返し通り抜けることに対して有利である。
【００４６】
図１５、図１５Ａ、図１５Ｂは、櫛歯の第二の領域２３の第二の部分がＵ字形をしている解決策に関する。櫛歯の先端は、長手方向平面Ｐの所で第一の領域２２と隣り合っている。図１５Ａは、この構成を明確に示している。図１５、図１５Ａによると、上述したような櫛歯が軸芯の上に放射状に空間的に離れて複数列（６列）設けられている。他のタイプの櫛歯２を、例えば、２つのＵ字形の櫛歯の間に放射状に介在させて、軸芯１の上に設けてもよい。図１５Ｂは、上述したような櫛歯２をより詳細に示す。
【００４７】
この発明の変形実施形態が図１６、図１６Ａ、図１６Ｂに図解されている。これらの図によると、櫛歯は、すでに定義されているように、軸芯に植え込まれた第一の領域２２を備えており、さらに、櫛歯は、２つの面が１８０°の角度を形成し基準面Ｐに属する第一の部分２３１によりここで定義される第二の領域２３を備えている。当該部分２３１は、第一の領域２２と一直線で長手方向に位置し、遠位部分である第二の部分２３２と基準面Ｐ内で重なり合うように隣り合っており、第二の部分２３２は、特に図１６Ｂに示すように、基準面Ｐの他の側から突き出している。この部分２３２は、その遠位端に開口または閉じた輪（符号を付してないが、櫛歯の他の実施形態の開口２３６に相当する）を有している。言い換えれば、櫛歯は、ここでは基準面Ｐの両側に「配分」されている。これは、この発明の他の実施形態の全ての特徴および利点を有している。
【００４８】
図１７、図１７Ａ、図１７Ｂは、図１６、図１６Ａ、図１６Ｂに図解されたものに類似した実施形態に関する。主な相違点は、第二の部分２３２の形状にあり、ここでは遠位で開いている鉤に相当する。この実施形態は、図１６、図１６Ａ、図１６Ｂのものよりも柔軟であって、より大きな柔軟性が必要な場合に、当業者により選択されるであろう。遠位開口２３６は、ここでは鉤２３２と定義され、開いている。
【００４９】
この発明の範囲から逸脱することなく、図１６〜図１７Ｂの種々の変形が２つの櫛歯により実施可能であり、２つの櫛歯の第一の面２００、２１０がそれらの間に９０°の角度を形成し、それら櫛歯の面２１０が基準面Ｐには属しないで、互いに相対向して配置されるようにすることができる。
【００５０】
そのうえ、櫛歯の列の数は、１から２４の間で選択的に変わり得るし、櫛歯自体も櫛歯の配置も同一であってもなくてもよい。とりわけ、図２Ｂに示すように、櫛歯は、同じ列において、または塗布器具を構成する櫛歯の全体において同じ方を向いていてもよいし、また、櫛歯は、例えば、長手方向面Ｐの両側で交互に異なる方向を向いていてもよい。
【００５１】
櫛歯の固有の形状に対しても、またそれらの向いている方向および／または互いの配置に対しても、この発明の範囲から逸脱することなく、他の本質的でない変更をすることが可能である。もちろん、この発明による塗布用具は、この発明による種々の実施形態に由来する櫛歯、とりわけ、上記に図解し説明した櫛歯を有することができる。
【００５２】
もちろん、当業者には、要求される技術的ニーズに応じるために、とりわけ櫛歯自体、櫛歯間の隔たりおよび軸芯をどのような大きさ（寸法）にすればよいか、分かることである。
【符号の説明】
【００５３】
ＸＸ…長手方向軸線、Ｐ…長手方向基準面、１…軸芯、２…櫛歯、２０…第一の端、２１…第二の端（自由端）、２２…第一の領域、２３…第二の領域、２４…突出部、２００…第一の平らな面、２１０…第二の平らな面、２３１…第一の膨らみ、２３２…第二の膨らみ、２３３…凹部、２３４…凹部、２３５…開口、２３６…開口。
【図１】
2018518269.tif 000003
【図１Ａ】
2018518269.tif 000004
【図１Ｂ】
2018518269.tif 000005
【図２Ａ】
2018518269.tif 000006
【図２Ｂ】
2018518269.tif 000007
【図３Ａ】
2018518269.tif 000008
【図３Ｂ】
2018518269.tif 000009
【図４Ａ】
2018518269.tif 000010
【図４Ｂ】
2018518269.tif 000011
【図４Ｃ】
2018518269.tif 000012
【図５Ａ】
2018518269.tif 000013
【図５Ｂ】
2018518269.tif 000014
【図５Ｃ】
2018518269.tif 000015
【図６Ａ】
2018518269.tif 000016
【図６Ｂ】
2018518269.tif 000017
【図６Ｃ】
2018518269.tif 000018
【図７Ａ】
2018518269.tif 000019
【図７Ｂ】
2018518269.tif 000020
【図７Ｃ】
2018518269.tif 000021
【図８Ａ】
2018518269.tif 000022
【図８Ｂ】
2018518269.tif 000023
【図８Ｃ】
2018518269.tif 000024
【図９Ａ】
2018518269.tif 000025
【図９Ｂ】
2018518269.tif 000026
【図９Ｃ】
2018518269.tif 000027
【図１０Ａ−１０Ｂ】
2018518269.tif 000028
【図１１】
2018518269.tif 000029
【図１１Ａ−１１Ｂ】
2018518269.tif 000030
【図１２】
2018518269.tif 000031
【図１２Ａ−１２Ｂ】
2018518269.tif 000032
【図１３Ａ】
2018518269.tif 000033
【図１３Ｂ】
2018518269.tif 000034
【図１３Ｃ】
2018518269.tif 000035
【図１４】
2018518269.tif 000036
【図１５】
2018518269.tif 000037
【図１５Ａ】
2018518269.tif 000038
【図１５Ｂ】
2018518269.tif 000039
【図１６】
2018518269.tif 000040
【図１６Ａ】
2018518269.tif 000041
【図１６Ｂ】
2018518269.tif 000042
【図１７】
2018518269.tif 000043
【図１７Ａ】
2018518269.tif 000044
【図１７Ｂ】
2018518269.tif 000045
【国際調査報告】
2018518269.tif 000046
2018518269.tif 000047
2018518269.tif 000048
2018518269.tif 000049
2018518269.tif 000050
2018518269.tif 000051